(57)【要約】【課題】動物に踏まれた際の動作の確実性を向上可能な動物捕獲用罠を提供すること。【解決手段】動物捕獲用罠１は、紐状体５が巻き回される枠体１０と、枠体１０の内部に配置された板状体２０と、を備え、枠体１０は、第１枠部材１１に対して、第２枠部材１２が回動可能であり、板状体２０は、下面に軸部材２１が固定されており、第１枠部材１１及び第２枠部材１２には、それぞれ係合部１５が設けられており、枠体１０が回動していない初期状態において、枠体１０には、輪の内径が小さくなる方向に付勢された紐状体５が巻き回され、軸部材２１の両端部は、係合部１５に、それぞれ係合されており、板状体２０の上面が動物に踏まれると、係合部１５と軸部材２１の端部との係合が解除され、第１枠部材１１に対して、第２枠部材１２が回動し、紐状体５が枠体１０から外れ輪の内径が小さくなり、動物の脚を括る。【選択図】図１
2020174636.tif 000002
【特許請求の範囲】
【請求項１】
動物の脚に紐状体を括るための動物用罠であって、
少なくとも上方に開口部を有し、輪形状に形成され、外周に輪形状にされた前記紐状体が巻き回される枠体と、
前記枠体の内部に、揺動可能に配置された板状体と、を備え、
前記枠体は、複数の枠部材からなり、前記開口部と略平行な方向に延びる回転軸を中心に、一方の前記枠部材に対して、他方の前記枠部材が回動可能であり、
前記板状体は、上面が前記開口部に面し、下面に軸部材が固定されており、
前記軸部材は、前記下面と略平行な方向であって、一方の前記枠部材から他方の前記枠部材に向かって延び、
複数の前記枠部材には、それぞれ、前記軸部材の端部の上部と係合する係合部が設けられており、
前記枠体が回動していない初期状態において、
前記枠体には、輪の内径が小さくなる方向に付勢された前記紐状体が巻き回され、
前記軸部材の両端部は、複数の前記枠部材の前記係合部に、それぞれ係合されており、
前記板状体の上面が動物に踏まれると、前記係合部と前記軸部材の端部との係合が解除され、一方の前記枠部材に対して、他方の前記枠部材が回動し、前記紐状体が前記枠体から外れ輪の内径が小さくなり、動物の脚を括ることを特徴とする動物用罠。
【請求項２】
前記係合部は、中央部から端部に向かって下り傾斜していることを特徴とする請求項１に記載の動物用罠。
【発明の詳細な説明】
【技術分野】
【０００１】
本発明は、動物捕獲用罠に関し、詳しくは、動物の脚に紐状体を括るための動物用罠に関する。
【背景技術】
【０００２】
従来、動物を捕獲するために、動物の脚に紐状体を括るための動物用罠が用いられている。
このような動物用罠として、地表に設置され獣類の脚部を括るワイヤが装着されるトリガー装置において、互いに連結される半環状の第一の帯体及び第二の帯体で構成され、これらの連結部で回動可能なワイヤ装着体と、第一の帯体及び第二の帯体の内周に嵌め合わされる支持棒と、支持棒に載置される踏板を設け、さらに第一の帯体及び第二の帯体の長手方向中央に切欠凹部を設け、当該切欠凹部の上部に支持棒を配置することが提案されている（特許文献１）。
このようなトリガー装置によれば、獣類が踏板を踏んだ際に、踏板により支持棒が押圧され、切欠凹部から外れることにより作動して、ワイヤにより獣類の脚部を括ることができる。
【先行技術文献】
【特許文献】
【０００３】
【特許文献１】特開２０１８−５７２８９号公報
【発明の概要】
【発明が解決しようとする課題】
【０００４】
しかしながら、特許文献１のトリガー装置は、第一の帯体及び第二の帯体の内周に嵌め合わされている支持棒に、作動の契機となる踏板が載置されているだけなので、踏板が適正な位置からズレたりした場合、獣類が踏板を踏んでも、支持棒を押圧して切欠凹部から外す力が逃げてしまい、適切に動作しないおそれがある。
【０００５】
本発明は、動物に踏まれた際の動作の確実性を向上可能な動物捕獲用罠を提供することを目的とする。
【課題を解決するための手段】
【０００６】
（１）  動物の脚に紐状体を括るための動物用罠であって、
少なくとも上方に開口部を有し、輪形状に形成され、外周に輪形状にされた前記紐状体が巻き回される枠体と、
前記枠体の内部に、揺動可能に配置された板状体と、を備え、
前記枠体は、複数の枠部材からなり、前記開口部と略平行な方向に延びる回転軸を中心に、一方の前記枠部材に対して、他方の前記枠部材が回動可能であり、
前記板状体は、上面が前記開口部に面し、下面に軸部材が固定されており、
前記軸部材は、前記下面と略平行な方向であって、一方の前記枠部材から他方の前記枠部材に向かって延び、
複数の前記枠部材には、それぞれ、前記軸部材の端部の上部と係合する係合部が設けられており、
前記枠体が回動していない初期状態において、
前記枠体には、輪の内径が小さくなる方向に付勢された前記紐状体が巻き回され、
前記軸部材の両端部は、複数の前記枠部材の前記係合部に、それぞれ係合されており、
前記板状体の上面が動物に踏まれると、前記係合部と前記軸部材の端部との係合が解除され、一方の前記枠部材に対して、他方の前記枠部材が回動し、前記紐状体が前記枠体から外れ輪の内径が小さくなり、動物の脚を括ることを特徴とする動物用罠。
【０００７】
（１）の構成によれば、動物捕獲用罠は、動物の脚に紐状体を巻き回し、枠体と、板状体と、を備える。
枠体は、少なくとも上方に開口部を有し、輪形状に形成され、外周に輪形状にされた紐状体が巻き回される。
板状体は、枠体の内部に、揺動可能に配置されている。
また、枠体は、複数の枠部材からなり、開口部と略平行な方向に延びる回転軸を中心に、一方の枠部材に対して、他方の枠部材が回動可能である。
板状体は、上面が開口部に面し、下面に軸部材が固定されている。
軸部材は、下面と略平行な方向であって、一方の枠部材から他方の枠部材に向かって延びている。
複数の枠部材には、それぞれ、軸部材の端部の上部と係合する係合部が設けられている。
そして、動物捕獲用罠は、枠体が回動していない初期状態において、枠体には、輪の内径が小さくなる方向に付勢された紐状体が巻き回されている。
また、軸部材の両端部は、複数の枠部材の係合部に、それぞれ係合されており、板状体の上面が動物に踏まれると、係合部と軸部材の端部との係合が解除され、一方の枠部材に対して、他方の枠部材が回動し、紐状体が枠体から外れ輪の内径が小さくなり、動物の脚を括る。
【０００８】
これにより、動物捕獲用罠が、初期状態から動作する契機となる板状体に、複数の枠部材を初期状態に維持するための軸部材を固定したので、板状体と軸部材とがズレることがなく、板状体が動物に踏まれた場合、この踏まれたことによる力を適切に軸部材に伝達することができる。さらに、複数の枠部材に軸部材の端部の上部と係合する係合部を設けたので、初期状態において、軸部材が上方に抜けることがなく、より適切な状態で、初期状態を維持できるので、動作の確実性が向上する。
したがって、動物に踏まれた際の動作の確実性を向上可能な動物捕獲用罠を提供できる。
【０００９】
また、軸部材が、枠体の内側で係合部と係合しており、特許文献１のトリガー装置と異なり、軸部材と枠体とのネジ止めが不用であり、取り扱いの際に危険性も少ない。さらに、動物捕獲用罠をセットする際も、軸部材の端部を係合部に係合させて（乗せて）、動物捕獲用罠全体を反転させるだけであり、作業が容易となる。
【００１０】
（２）前記係合部は、中央部から端部に向かって下り傾斜していることを特徴とする（１）に記載の動物捕獲用罠。
【００１１】
（２）の構成によれば、複数の枠部材に軸部材の端部の上部と係合する係合部を、中央部から端部に向かって下り傾斜させたので、初期状態において、軸部材が横方向に抜けることがなく、板状体が動物に踏まれた場合に、軸部材の端部が、係合部にガイドされて、係合が解除されるので、より適切な状態で、動作させることが可能となる。
【発明の効果】
【００１２】
本発明によれば、動物に踏まれた際の動作の確実性を向上可能な動物捕獲用罠を提供することができる。
【図面の簡単な説明】
【００１３】
【図１】本発明の一実施形態に係る動物捕獲用罠の斜め上方から視た斜視図である。
【図２】本発明の一実施形態に係る動物捕獲用罠の枠体及び板状体を斜め下方から視た斜視図である。
【図３】本発明の一実施形態に係る動物捕獲用罠の内側から係合部が設けられている部分を視た図である。
【図４】本発明の一実施形態に係る動物捕獲用罠１の動作について説明する図である。
【図５】本発明の一実施形態に係る動物捕獲用罠１の動作について説明する図である。
【発明を実施するための形態】
【００１４】
本発明の実施形態に係る動物捕獲用罠１の構成を図面に基づいて説明する。
図１は、本発明の一実施形態に係る動物捕獲用罠の斜め上方から視た斜視図である。
図２は、本発明の一実施形態に係る動物捕獲用罠の枠体及び板状体を斜め下方から視た斜視図である。
【００１５】
動物捕獲用罠１は、動物の脚に紐状体５（例えば、ワイヤー、綱等）を括るための罠であり、紐状体５と、枠体１０と、板状体２０と、付勢具３０と、を備える。
【００１６】
枠体１０は、少なくとも上方（図１に示す例では上下方向）に開口部１０ａを有し、板状体が面方向に曲げられて輪形状に形成されており、外周に輪形状にされた紐状体５が巻き回される。
枠体１０は、本実施形態では、図１に示す初期状態では、上方から視て、全体として楕円形状に形成され、外周の内径が下方から上方に向かって小さくなるように形成されている（側面方向から視て略ハの字形状に形成されている）。これにより、動物捕獲用罠１を設置した場合の安定性が向上する。
【００１７】
枠体１０は、上方から視て、楕円形状を半分にした形状で形成された第１枠部材１１及び第２枠部材１２を備える。
第１枠部材１１及び第２枠部材１２は、それぞれの端部が回動自在に連結され、開口部１０ａと略平行な方向に延びる回転軸１０ｂを中心に、一方の枠部材（例えば、第１枠部材１１）に対して、他方の枠部材（例えば、第２枠部材１２）が回動可能である。詳細には、第１枠部材１１及び第２枠部材１２は、両端部近傍に、開口部１０ａと略平行な方向に延びる貫通孔がそれぞれ形成され、これらの貫通孔にそれぞれボルトが挿通され、ボルトにナットを螺合させることで、一方に対して他方が回動可能に接続されている。
【００１８】
第１枠部材１１には、略中央の高さ方向における略下半分に欠き込み１１ａが形成されている。また、第２枠部材１２には、略中央の高さ方向における略下半分に欠き込み１２ａが形成されている。すなわち、枠体１０は、第１枠部材１１に対して第２枠部材１２が回動する回転軸１０ｂと略直交する対角線上において、高さ方向における略下半分に欠き込み１１ａ及び欠き込み１２ａが形成されている。
【００１９】
第１枠部材１１及び第２枠部材１２は、それぞれの内面側であって、欠き込み１１ａ及び欠き込み１２ａの上方に、内側に突出する係合部１５が設けられている。
図３は、本発明の一実施形態に係る動物捕獲用罠の内側から係合部が設けられている部分を視た図である。
係合部１５は、第２枠部材１２の内側側面から視て上方に膨出する円弧形状に形成され、後述する軸部材２１の端部の上部と係合する。すなわち、係合部１５は、中央部から端部に向かって下り傾斜している。なお、係合部１５は、円弧形状に限らず、中央部から端部に向かって下り傾斜していれば、中央部を頂点として、端部に向かって直線的に傾斜する山型の形状であってもよい。第１枠部材１１に設けられた係合部１５は、第２枠部材１２に設けられた係合部１５と同様の構成である。
【００２０】
図１及び図２に戻って、板状体２０は、枠体１０の内部に、揺動可能に配置されている。板状体２０は、上面が開口部１０ａに面し、上方から視て、初期状態（図１に示す、第１枠部材１１に対して第２枠部材１２が回動していない状態）における枠体１０の上方側開口部１０ａの内径より小さい外径の楕円形状の板材で形成されている。板状体２０は、枠体１０の回転軸１０ｂの近傍において、枠体１０と紐２２を介して２箇所接続されている。
【００２１】
板状体２０は、下面に軸部材２１が固定されている。軸部材２１は、例えば、溶接により板状体２０に固着されている。
【００２２】
軸部材２１は、板状体２０の下面と略平行な方向であって、回転軸１０ｂと略直交する対角線に沿って、第１枠部材１１から第２枠部材１２に向かって延びている。
軸部材２１の両端部は、初期状態において、第１枠部材１１に設けられた係合部１５と、第２枠部材１２に設けられた係合部１５とに、それぞれ係合されている。
【００２３】
付勢具３０は、紐状体５で形成した輪の内径が小さくなる方向に付勢する。具体的には、付勢具３０は、弾性変形可能な針金等をコイル形状に形成し、両端が互いに近接した状態から互いに離間した状態に付勢するものであり、両端が輪形状に形成されている。
【００２４】
初期状態において、紐状体５は、一端が付勢具３０の一方の端部に接続され、枠体１０の外周に巻き回され、一方の端部の輪形状の部分に挿通され、付勢具３０の他方の端部の輪形状の部分に挿通され、付勢具３０の他方の端部の輪形状の部分の内径より大きい外径で形成された止め具５１が装着され、他端が固定されている物（例えば、木等）に固定される。また、初期状態において、付勢具３０は、止め具５１により、両端が互いに近接した状態で維持され、弾性力が蓄えられた状態である。
【００２５】
次に、動物捕獲用罠１の動作について説明する。
図４及び図５は、本発明の一実施形態に係る動物捕獲用罠１の動作について説明する図である。
動物捕獲用罠１は、図１に示す初期状態において、板状体２０の上面が動物の脚Ｆで踏まれると、係合部１５と軸部材２１の端部との係合が解除され、軸部材２１の端部が第２枠部材１２の欠き込み１２ａの位置にきて、図４に示す状態となる。すると、動物捕獲用罠１は、第１枠部材１１に対して、第２枠部材１２が回動し、紐状体５が枠体１０から外れ、付勢具３０の蓄えられた弾性力が開放され、紐状体５輪の内径が小さくなり、動物の脚Ｆを括り、図５に示す状態となる。
【００２６】
なお、本発明は前記実施形態に限定されるものではなく、本発明の目的を達成できる範囲での変形、改良等は本発明に含まれるものである。
【符号の説明】
【００２７】
１，１Ａ  動物捕獲用罠
１  動物捕獲用罠
５  紐状体
１０  枠体
１０ａ  開口部
１０ｂ  回転軸
１１  第１枠部材
１１ａ  欠き込み
１２  第２枠部材
１２ａ  欠き込み
１５  係合部
２０  板状体
２１  軸部材
２２  紐
３０  付勢具
５１  止め具
Ｆ  動物の脚
【図１】
2020174636.tif 000003
【図２】
2020174636.tif 000004
【図３】
2020174636.tif 000005
【図４】
2020174636.tif 000006
【図５】
2020174636.tif 000007